(57)【要約】【課題】シンクトレーを、シンク内で奥側に寄せて脱落しにくく、がたつきもなく安定して取り付け、しかも載置される物品を落下しにくくし、シンクトレーの水捌けを良くする。【解決手段】シンクトレーは、物品を載せるためのプレート状の載置部６と載置部６の両側部に設けられている脚部７とを備えており、脚部７の上面２７を水平面Ｈに合わせた場合に、脚部７の下面２８は後方に向け下り勾配で傾斜されており、脚部７を支持するシンク２の内周壁面に形成された段差部３７は、水平面Ｈに対して脚部７の下面２８の上記下り勾配より大きな下り勾配で形成されており、シンクトレー１を段差部３７上において取り付けると、載置部６の上面は、後方に向けて下り勾配の傾斜状となる。【選択図】図５
2014122497.tif 000002
【特許請求の範囲】
【請求項１】
物品を載せるためのプレート状の載置部と、載置部の両側部に設けられている脚部と、を備えたシンクトレーであって、シンクの内周壁面に取り付けられた状態では、シンクトレーの載置部は後方に向けて下り勾配の傾斜状とされ、脚部は、下面が後方に向け、載置部よりも急な下り勾配となる傾斜状とされる構成であることを特徴とするシンクトレー。
【請求項２】
請求項１に記載のシンクトレーであって、載置部には複数のスリット状の開口が形成されていることを特徴とするシンクトレー。
【請求項３】
請求項１または２に記載にシンクトレーであって、載置部は金属製であり、脚部は軟質樹脂製であることを特徴とするシンクトレー。
【請求項４】
請求項１から３のいずれかに記載のシンクトレーが取り付けられるシンクであって、シンクの内周壁面にシンクトレーの脚部を受けるための段差部が形成されており、段差部の上面は、水平面に対して、シンクトレーをその脚部の上面を水平においた状態における脚部の下面より大きな角度で後方に向け下り勾配となる傾斜面とされていることを特徴とするシンク。
【発明の詳細な説明】
【技術分野】
【０００１】
本発明は、キッチンのシンクに設置されるシンクトレーおよびこれを備えたシンクに関する。
【背景技術】
【０００２】
従来、シンクの内周壁に形成された凹所内に、石鹸、スポンジ等の物品を載置し収納する棚であるシンクトレーを設ける構成は、知られている（特許文献１、２参照）。
【０００３】
従来、流し台の水槽内の一側壁に膨出部を設け、この膨出部に収納器を設けた構成は知られている（特許文献３参照）。また、手洗いカウンターや洗面カウンター等の水受け部の周囲の天板部に凹入部が形成され、この凹入部に石鹸等を載置可能なカバープレートを着脱自在に装着する構成が知られている（特許文献４参照）。
【先行技術文献】
【特許文献】
【０００４】
【特許文献１】特開平１０−２９５５７１号公報
【特許文献２】特開平０５−０７９０７５号公報
【特許文献３】特開２０１２−７３７８号公報
【特許文献４】特開２００２−１６５７１５号公報
【発明の概要】
【発明が解決しようとする課題】
【０００５】
従来のシンクトレーは、主に  ワイヤー状の部材により構成されているが、ワイヤー状の部材では洗剤ボトル等を載置した際に安定性が悪く、また清掃性が悪いというような問題がある。
【０００６】
さらに、従来のシンクトレーは、プレート状のシンクトレーもあるが、シンクトレーに水がたまりやすい、シンクトレー自体がシンクから脱落しやすい、がたつきが発生しやすい等の欠点があった。本発明は、このような従来の問題を解決することのできるシンクトレーおよびこのようなシンクトレーを備えたシンクを実現することを課題とする。
【課題を解決するための手段】
【０００７】
本発明は上記課題を解決するために、物品を載せるためのプレート状の載置部と、載置部の両側部に設けられている脚部と、を備えたシンクトレーであって、シンクの内周壁面に取り付けられた状態では、シンクトレーの載置部は後方に向けて下り勾配の傾斜状とされ、脚部は、下面が後方に向け、載置部よりも急な下り勾配となる傾斜状とされる構成であることを特徴とするシンクトレーを提供する。
【０００８】
載置部には複数のスリット状の開口が形成されていることが好ましい。
【０００９】
載置部は金属製であり、脚部は軟質樹脂製であることが好ましい。
【００１０】
シンクの内周壁面にシンクトレーの脚部を受けるための段差部が形成されており、段差部の上面は、水平面に対して、シンクトレーをその脚部の上面を水平においた状態における脚部の下面より大きな角度で後方に向け下り勾配となる傾斜面とされていることが好ましい。
【発明の効果】
【００１１】
本発明に係るシンクトレーは、物品を載せるためのプレート状の載置部と載置部の両側部に設けられている脚部とを備えており、脚部は、その上面を水平にした場合にその下面が後方に向け下り勾配となる傾斜状とされており、シンクの内周壁面に取り付けられた状態では、シンクトレーの載置部は後方に向けて下り勾配の傾斜状とされ、脚部は、下面が後方に向け、載置部よりも急な下り勾配となる傾斜状とされる構成としたので、次のような効果が生じる。
【００１２】
シンクの内周壁面に後方に向けて傾斜された段差部上にシンクトレーを載せると、シンクトレー自体は、その自重でシンク内で奥側に寄せられて脱落しにくく、がたつきもなく安定して取り付けられ、また、シンクトレーの載置部の上面は、後方に向けて下り勾配の傾斜状となるので、載置される物品が落下しにくく、しかもシンクトレーに水は後方に流下して排水され、水捌けが良くなる。
【図面の簡単な説明】
【００１３】
【図１】本発明に係るシンクトレーの実施例の全体構成を示す図であり、（ａ）はシンクトレーを斜め後方から見た斜視図であり、（ｂ）はシンクトレーを斜め前方から見た斜視図である。
【図２】上記実施例のシンクトレーを説明する図であり、（ａ）はシンクトレーの平面図であり、（ｂ）はシンクトレーの側面図である。
【図３】上記実施例のシンクトレーを構成する部品を説明する図であり、（ａ）は載置部の斜め後方から見た斜視図であり、（ｂ）は載置部の斜め下後方から見た斜視図であり、（ｃ）は脚部の平面図であり、（ｄ）は脚部の長手方向に沿った垂直断面図（図３（ａ）のＣ−Ｃ断面図）である。なお、左側の脚部については、右側の脚部と左右対称的な構成である点で相違するが、その他の構造は全く同じである。
【図４】上記実施例のシンクトレーの載置部と脚部の着脱構造を説明する図であり、（ａ）は載置部と脚部を分離した状態を示す図であり、（ｂ）は載置部の引っ掛け部を脚部の貫通孔に挿入した状態を示し、（ｃ）は載置部に脚部を係合して装着した状態を示す図である。
【図５】本発明に係るシンクトレーを取り付けたシンクの実施例を説明する図であり、（ａ）はシンクの内周壁面に形成された凹所を示す斜視図であり、（ｂ）はシンクトレーを取り付けた状態を示す斜視図である。
【図６】上記実施例のシンクトレーの作用を説明する図であり、（ａ）はシンクトレーをシンクの内周壁面に形成された段差部上に載置して取り付ける過程を示す断面図であり、（ｂ）はシンクトレーをシンクの内周壁面に形成された段差部上に載置して取り付けた状態を示す断面図である。
【発明を実施するための形態】
【００１４】
本発明に係るシンクトレーおよび該シンクトレーを備えたシンクを実施するための形態を実施例に基づき図面を参照して、以下説明する。
【００１５】
本発明に係るシンクトレーおよび該シンクトレーを備えたシンクを実施するための形態を実施例に基づき図面を参照して、以下説明する。本明細書では、「前方」はシンクの手前側（シンクに向き合って使用する使用者側）とし、「後方」はシンクの奥側とする。「左右」はシンクに向かって左右とする。
【実施例】
【００１６】
本発明に係るシンクトレーおよび該シンクトレーを備えたシンクの実施例を、図１〜図６を参照して説明する。本発明のシンクトレー１は、図５（ａ）に示すようなキッチンのシンク２の内周壁面に形成された凹所３内に図５（ｂ）、図６（ｂ）に示すように取り付け、石鹸やスポンジ等の物品を載置可能とするものである。
【００１７】
（シンクトレー）
シンクトレー１は、図１〜図４に示すように、物品を載せるための載置部６と、載置部６の左右両側部にそれぞれ取り付けられている左右の脚部７と、を備えている。
【００１８】
載置部６は、金属製であり、図３（ａ）、（ｂ）、図４（ａ）に示すように、全体的にはプレート状で、厚さは均一に形成されている。金属材料としては、例えばＳＵＳ（Stainless steelステンレス鋼）等が使用される。載置部６には、図２（ａ）、図３（ａ）、（ｂ）に示すように、複数のスリット状の開口（長孔）８が形成されている。
【００１９】
この複数のスリット状の開口８は、載置部６の上面に付着した水をシンク２内に排水し、載置部６上の水捌けを良くすることが可能である。複数のスリット状の開口８は、その長手方向をどの方向に向かうように形成してもよい。
【００２０】
しかしながら、本実施例のように、複数のスリット状の開口８を、左右方向、即ち前後方向に対して直交する方向に向けて長細く形成すると、後記するが、載置部６の上面を後方に向けて下り勾配に傾斜した構成と相乗的に機能して、載置部６の上面を後方に向けて流れる水を、より効果的に捕捉することができ、排水し易い。
【００２１】
なお、本実施例では、図２（ａ）、図３（ａ）、（ｂ）に示すように、左右に２つの開口８を前後方向に複数形成しているが、左右に２つの開口８に分けることなく、左右に延びる一本の開口を前後方向に複数形成してもよい。
【００２２】
載置部６の前方には、載置部６の前方端の左右端および中央から上方に折り曲げられた前枠部１１が形成されている。この前枠部１１は、載置部６に載置した物品が前方に落下しないような落下防止枠となるとともに、使用者が把持するための手段としても機能する。
【００２３】
載置部６の後方には、載置部６の後方端から下方に折り曲げられた後壁部１２が形成されている。後壁部１２の左右両端側には、後記する脚部７の凸部１３（図３（ｃ）参照）を係入するための開口部１６が形成されている（図３（ａ）、（ｂ）参照）。
【００２４】
さらに、載置部６の左右両側には、載置部６の左右端からそれぞれ下方に折り曲げられて成る鈎状の引っ掛け部１７が形成されている。引っ掛け部１７には、その後端から鉤部１８が後方に突出するように形成されている。
【００２５】
脚部７は、弾力的に変形可能な軟質の樹脂製であり、例えばポリプロピレン等の樹脂材で、図３（ｃ）に示すように平面視でＬ型に形成されている。脚部７は、前後方向に伸びる脚部本体２１と、脚部本体２１の後端から左又は右方向に屈曲して延びる後端部２２とから一体に形成されている。そして、脚部７と後端部２２となす角度θは、９０°より若干大きく形成されている。
【００２６】
図３（ｃ）は右側の脚部７を示すが、左側の脚部７も左右対称である以外は同様の構造である。より詳しくは、右側の脚部７は、図３（ｃ）に示すように、その後端部２２が左側に屈曲しており、左側の脚部７は、特に図示はしないが右側の脚部７と対称的に、その後端部２２が右側に屈曲している。
【００２７】
脚部本体２１と後端部２２との屈曲した部分の内側には、切り欠き２３が形成されており、これによって、脚部本体２１と後端部２２が互いに近づく方向（図３（ｃ）の２つの湾曲状の矢印参照）に、弾力的に曲げ易くなっている。
【００２８】
脚部本体２１は、側方から見て全体的に略三角形（図２（ｂ）、図３（ｄ）参照）であって、図３（ｄ）に示すように、内部に下方に開口した空洞部２３が形成されている。脚部本体２１の頂部２６の上面（頂部上面）２７を水平に置いた場合に、脚部本体２１の下面２８は後方に向けて下り勾配の傾斜状に形成されている。脚部本体２１の上面２７と下面２８のなす角度αは、例えば１２°になるように形成されている。
【００２９】
頂部２６の前端側には、図３（ｃ）、（ｄ）に示すように、前後方向に長い長孔状の貫通孔２９が形成されている。この貫通孔２９は、載置部６の引っ掛け部１７が上方から挿入可能なように、その前後方向の幅（縦幅）および左右方向の幅（横幅）は、引っ掛け部１７の縦幅および横幅よりわずかに大きく形成されている。
【００３０】
作用の説明において詳記するが、貫通孔２９の縦幅および横幅を上記のような大きさとすることで、貫通孔２９に載置部６の引っ掛け部１７を上方から挿入可能となる（図４（ｂ）参照）。この挿入後、載置部６に対して脚部７を前方に引いてスライドし、頂部２６における貫通孔２９の後縁部３０に引っ掛け部１７の鉤部１８を係合させて、脚部７を載置部６に係合して取り付けることが可能となる。
【００３１】
後端部２２の後面には、後方に向けて凸部１３が突出するように設けられている。この凸部１３は、脚部７を載置部６に取り付ける際に、載置部６の後方の後壁部１２の開口部１６に弾力的に係入される。このように、脚部７の貫通孔２９と凸部１３は、脚部７を載置部６に取り付ける際の脚部７における係合部として機能する。
【００３２】
（シンクトレーを備えたシンク）
シンクトレー１を備えたシンクは、図５（ａ）に示すようなシンク２の内周壁面３３に形成された凹所３に、シンクトレー１が取り付けられて成るものである。この凹所３内にシンクトレー１を装着できるように、凹所３の横幅を考慮してシンクトレー１の横幅が決められている。なお、シンク２の底部３４であって凹所３の前方には排水孔３５が形成されている。
【００３３】
凹所３を形成する左右の壁面３６に、それぞれ互いに対向する側に突出する段差部３７が形成されている。この段差部３７は、その上面３８にシンクトレー１を載せて支持することができるような形状に形成されている。
【００３４】
段差部３７の上面３８は、図６に示すように、シンク２の後方に向けて下り勾配の傾斜状に形成されている。水平面Ｈに対する段差部３７の上面３８の傾斜角度β（例えば１５°）は、脚部本体２１の上面２７と下面２８のなす角度α（例えば１２°）より大きく形成されている。
【００３５】
そして、シンクトレー１を段差部３７の上面３８に載置している場合は、水平面Ｈに対して、脚部本体２１の下面２８の傾斜する角度と段差部３７の上面３８の傾斜する角度は同じである。従って、脚部本体２１の上面２７は、β−αの差の傾斜角度（例えば、β−α＝３°）を以て後方に向けて下り勾配となるように傾斜して取り付けられる。
【００３６】
ところで、脚部本体２１の上面２７の上に、均一な厚さのプレート状の載置部６が載置されるので、プレート状の載置部６の上面は、脚部本体２１の上面２７と同様に、β−αの差の傾斜角度（例えば、β−α＝３°）を以てシンク２の後方に向けて下り勾配となるように傾斜することとなる。
【００３７】
（作用）
以上の構成から成るシンクトレー１および該シンクトレー１を備えたシンク２の作用について説明する。シンクトレー１は、前記した図４（ａ）に示すとおり、部品としては互いに別体である載置部６と左右の脚部７（図４（ａ）は右側の脚部７を示すが、左側の脚部７も左右対称である以外は同様の構造である）とを備えている。
【００３８】
なお、図４中の脚部７について、図４（ａ）、（ｃ）は、後記するが、指で力を加えて曲げていない自然状態の長さの脚部７を示しており、図４（ｂ）は指で力を加えて曲げ、前後方向に若干縮んで見える状態を示している。
【００３９】
左右の脚部７を、それぞれ載置部６に取り付ける場合は、図４（ａ）に示す状態では、載置部６の後壁部１２が、脚部７の後端部２２および凸部１３につっかかかってしまい、載置部６の引っ掛け部１７を上方から脚部７の貫通孔２９内に挿入することができない。
【００４０】
そこで、使用者は、脚部本体２１の前端と後端部２２を人差し指と親指で摘んで互いに近づく方向に脚部７を変形（図３（ｃ）の２つの湾曲矢印参照）しながら、図４（ｂ）に示すとおり、載置部６の引っ掛け部１７を上方から脚部７の貫通孔２９内に挿入する。
【００４１】
引っ掛け部１７を貫通孔２９に挿入したら、次に、脚部載置部６に対して脚部７を前方（図４中の左側）に引いてスライドし、図４（ｃ）に示すように、引っ掛け部１７の鉤部１８を貫通孔２９の後縁部３０に係合させるとともに、人差し指と親指で摘む力を弱めて脚部７と載置部６との弾力的な変形を緩めながら、脚部７の後端部２２の凸部１３を後壁部１２の開口部１６内に係入する。        
【００４２】
前記したとおり、脚部本体２１と後端部２２とのなす角度θは、９０°より若干大きく構成されているので、弾力的な変形を緩めても、脚部７はさらにその自然状態に戻ろうとする弾力が作用しており、脚部７の後端部２２の凸部１３は、後壁部１２の開口部１６内に弾力的に係入した状態を維持し、その係合がはずれにくくなる。
【００４３】
この結果、引っ掛け部１７の鉤部１８は、貫通孔２９の後縁部３０と係合し、かつ脚部７の後端部２２の凸部１３は、後壁部１２の開口部１６に弾力も作用してしっかりと係合するので、脚部７と載置部６は互いに前後方向に移動することができず、引っ掛け部１７が貫通孔２９から抜け出るようなことがなくなり、図４（ｃ）に示すように、脚部７と載置部６は互に完全に結合して取り付けられた状態となる。
【００４４】
以上が、載置部６に脚部７を取り付ける場合であるが、載置部６と脚部７をそれぞれ清掃等するために、載置部６から脚部７を取り外す場合は、上記取り付けの手順と逆の手順で行えばよい。            
【００４５】
即ち、使用者は、図４（ｃ）に示す取り付け状態にある脚部本体２１の前端と後端部２２を人差し指と親指で摘んで互いに近づく方向に変形（図３（ａ）の矢印参照）しながら、載置部６に対して脚部７を後方（図４中の右側）に引いてスライドし、引っ掛け部１７の鉤部１８を、脚部７の貫通孔２９の後縁部３０との係合を解除するとともに、脚部７の凸部１３を後壁部１２の開口部１６から引き抜く。
【００４６】
これによって、載置部６と脚部７を図４（ｂ）に示す状態にする。この状態で、載置部６を脚部７に対して持ち上げることで、引っ掛け部１７を貫通孔２９から引き抜いて、載置部６から脚部７を取り外すことができる。
【００４７】
シンクトレー１をシンク２に取り付ける場合は、図６（ａ）に示すように、シンクトレー１をシンク２の左右の段差部３７上に載置する。そして、シンクトレー１を段差部３７の傾斜した上面３８に沿ってシンク２の後方（奥の方）へスライドすることで、図５（ｂ）、図６（ｂ）に示すように、シンクトレー１を取り付けることができる。
【００４８】
図５（ｂ）、図６（ｂ）に示す状態では、前記したとおり、シンクトレー１は、その載置部６の上面が、水平面Ｈに対する段差部３７の上面３８の傾斜角度β（例えば１５°）と脚部本体２１の上面２７と下面２８のなす角度α（例えば１２°）の差である傾斜角度β−α（例えば、傾斜角度β−α＝３°）だけ、後方に向けて下り勾配となるように傾斜してシンク２に取り付けられる。
【００４９】
シンクトレー１は、その載置部６はプレート状で平坦に形成されているので、洗剤ボトル等の物品でも比較的安定して載置することができ、また、スリット状の開口８を通過しない大きさであれば、小さな物品でも載置することができる。
【００５０】
しかも、載置部６には、複数のスリット状の開口８が形成されているので、後で詳記するが、載置部６上に水が溜まりにくく、衛生的にもすぐれている。さらに、シンクトレー１がシンク２に取り付けられる際のシンク２との接触部分である脚部７は、樹脂製であるから、シンク２の表面を傷つけるようなことが軽減できる。また、全てが金属製のシンクトレーと比べると、本発明のシンクトレー１は、樹脂製の脚部７を備えているので、シンク２に取り付けたときに、がたつきが発生しにくい。
【００５１】
さらに、脚部７は載置部６に対して簡単に着脱可能であるので、シンクトレー１の清掃もし易い。特に載置部６と脚部７の境界部分には水垢やカビなどがたまりやすいが、着脱可能な構成としたことで、それぞれを個別に洗浄することが可能となり、シンクトレー１の清掃性が大きく向上する。
【００５２】
そして、本発明のシンク２では、シンクトレー１の載置部６の上面は、前記したとおり、後方に向けて下り勾配となるように傾斜（例えば、傾斜角度はβ−α＝３°）して取り付けられているために、次のような顕著な作用効果が生じる。
【００５３】
（１）後方に傾斜した段差部３７の上面にシンクトレー１を載せることで、シンクトレー１は自重により、後方へ移動して寄る。よって、シンクトレー１はシンク２の凹所３の奥側に寄せられて、がたつきもなく安定的に取り付けられ、使用者がシンク２で作業中にシンクトレー１に手が掛かり、シンクトレー１が多少前方に飛び出すようなことがあっても、自重により自然に後方の所定の位置（図６（ｂ）に示す位置）に戻る。
【００５４】
（２）載置部６の上面が、後方に向けて下り勾配で傾斜（例えば、傾斜角度３°）していることで、載置部６の上面についた水は後方に流下し、複数のスリット状の開口８からシンク２内に流れ落ちるので、載置部６の上面には水が溜まりにくくなり、水溜りの発生を防ぎやすい。
【００５５】
特に、載置部６には、その上面における後方への下り勾配方向に対して直交する方向に延びる複数のスリット状の開口８が形成されているので、開口８は、載置部６の上面を後方に流下する水を幅広く受け入れて、より効果的に捕捉する。このように、開口８は、その長手方向の向きと、載置部６の上面の下り勾配の向きとが、相乗的に機能して、載置部６の上面の水捌け効果を向上することができる。   
【００５６】
（３）載置部６の上面が後方に向けて下り勾配で傾斜（例えば、傾斜角度３°）していることで、載置した物品がその自重で後方に寄り、物品が載置部６の前端から落下しにくくなる。しかも、物品が後方に寄るので、物品を含むシンクトレー１全体の重心が後方（シンクの奥側）に寄る。これにより、シンクトレー１自体が、段差部３７から前方に移動して落下するリスクを軽減できる。
【００５７】
以上、本発明に係るシンクトレーおよび該シンクトレーを備えたシンクを実施するための形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００５８】
本発明に係るシンクトレーおよび該シンクトレーを備えたシンクは、上記のような構成であるから、内周壁面に凹所を有し、この凹所にトレーを取り付けることが可能な構造のシンクとすれば、キッチンのシンク、洗面所の洗面ボールのシンク等、その他各種のシンクにも適用可能である。
【符号の説明】
【００５９】
１  シンクトレー
２  シンク
３  シンクの凹所
６  載置部
７  脚部
８  スリット状の開口
１１  前枠部
１２  後壁部
１３  脚部の後端部の凸部
１６  後壁部の開口部
１７  引っ掛け部
１８  鉤部
２１  脚部本体
２２  脚部の後端部
２３  空洞部
２６  脚部本体の頂部
２７  脚部本体の頂部上面
２８  脚部本体の下面
２９  脚部本体の貫通孔
３０  貫通孔の後縁部
３３  シンクの内周壁面
３４  シンクの底部
３５  シンクの排水孔
３６  シンクの凹所を形成する左右の壁面
３７  シンクの段差部
３８  段差部の上面
Ｈ  水平面
【図１】
2014122497.tif 000003
【図２】
2014122497.tif 000004
【図３】
2014122497.tif 000005
【図４】
2014122497.tif 000006
【図５】
2014122497.tif 000007
【図６】
2014122497.tif 000008